(57)【特許請求の範囲】
【請求項１】
家具本体の所要箇所に被覆部材を取り付けるためのものであって、
被覆部材を開口縁を介して家具本体に被せ、その開口縁をスライド式のファスナによって閉止し得るように構成するとともに、ファスナの操作部をスライド終端付近で差し込むことのできる差し込み部を家具本体側に設けてなり、家具本体に、側縁を開放した状態でベルト部材を取り付け、その側縁に開口するベルト部材と家具本体との隙間を前記差し込み部としていることを特徴とする被覆部材の取付構造。
【請求項２】
被覆部材が、開口縁を家具本体の下向面近傍に位置させて取り付けられることを特徴とする請求項１記載の被覆部材の取付構造。
【請求項３】
被覆部材が、開口縁を一対のファスナによって閉止し得るように構成されるものであり、両ファスナの操作部のスライド終端付近に共通の差し込み部を設け、互いに相寄る方向へスライドさせた各操作部を前記差し込み部に共に差し込めるようにしていることを特徴とする請求項１又は２記載の被覆部材の取付構造。
【請求項４】
家具本体が背凭れを備えたものであり、その背凭れに被覆部材を取り付けるようにしていることを特徴とする請求項１、２、又は３記載の被覆部材の取付構造。
【請求項５】
家具本体が背凭れを備えた椅子本体であることを特徴とする請求項４記載の被覆部材の取付構造。
【請求項６】
家具本体が背凭れを備えた椅子本体であり、その背凭れに被覆部材を取り付けるようにしたものであって、背凭れの下縁中央部が背支持部材に支持されており、その背支持部材を避けて両側にファスナを配置するとともに、背支持部材近傍にファスナの操作部を差し込むための共通の差し込み部を設けていることを特徴とする請求項３記載の被覆部材の取付構造。
【発明の詳細な説明】
【０００１】
【発明の属する技術分野】
本発明は、家具本体の表面を被覆部材により好適に覆って外観を整えることができるようにした被覆部材の取付構造に関するものである。
【０００２】
【従来の技術】
被覆部材によって家具本体の表面を覆うようにしたものの一例として、背凭れ付きの椅子がある。この背凭れ付きの椅子には、背凭れや座を覆う位置に被覆部材である張地を被せているものがあるが、張地の汚損や破損に速やかに対応できるようにするために、張地を開口縁を介して椅子本体に被せ、その開口縁を面ファスナやスライドファスナによって着脱可能に閉止し得るように構成しておくことが望ましい。なかでも、取付状態の安定化とコスト面を考慮した場合、ファスナにスライド式のファスナを採用することが好都合であるとされている。
【０００３】
【発明が解決しようとする課題】
ところが、スライドファスナを採用すると、適用場所によっては家具の外観を損ねる事がある。例えば、上記背凭れ付きの椅子で言えば、背凭れに張地を被せる際、張地は、スライドファスナが視認されないように、開口縁を背凭れの下向面つまり下縁側に位置させて取り付けられるのが通例である。
【０００４】
しかしながら、このようにしても、スライドファスナを閉止した際にその操作部が背凭れの下縁から下方に垂れ下がった状態になるので、操作部が極めて目立ち易く、椅子の美観を損ねる要因となり易い問題がある。また、スライドファスナがこのような状態に置かれると、子供の悪戯の対象ともなるので、張地が不慮に剥がされて管理が煩雑になる等の不都合も生じ易い。これに対して、スライドファスナをロック機能付きのものにしたり、被覆部材の開口縁同士を重合させてスライドファスナを隠すように構成することも考えられるが、このような対策はコスト高となり、好ましくない。
【０００５】
【課題を解決するための手段】
上記の課題を解決するために、本発明は、スライドファスナの操作部が外観を損ね、悪戯の対象となる位置に配置されても、これらの不都合を簡素な構成によって有効に防止し得るようにした被覆部材の取付構造を提供しようとするものである。
【０００６】
【発明の実施の形態】
そのために、本発明に係る被覆部材の取付構造は、家具本体の所要箇所に被覆部材を取り付けるにあたり、被覆部材を開口縁を介して家具本体に被せ、その開口縁をスライド式のファスナによって閉止し得るように構成するとともに、ファスナの操作部をスライド終端付近で差し込むことのできる差し込み部を家具本体側に設けてなり、家具本体に、側縁を開放した状態でベルト部材を取り付け、その側縁に開口するベルト部材と家具本体との隙間を前記差し込み部としていることを特徴とする。
【０００７】
このような取付構造であれば、ファスナの操作部が垂れ下がり、或いは悪戯の対象となる場所に配置されても、その操作部を差し込み部に差し込むことによって、その差し込み部内に安定に隠蔽、保持しておくことができる。このため、適用場所に影響を受けずに、スライドファスナを採用した被覆部材によって家具本体を好適に隠蔽することができ、ファスナな被覆部材に特殊なものを用いることも不要にすることができる。また、差し込み部を簡単に構成することができる。
【０００８】
特に本発明は、被覆部材が、開口縁を家具本体の下向面近傍に位置させて取り付けられるケースに適用して有用となる。
【０００９】
被覆部材が、開口縁を一対のファスナによって閉止されるように構成される場合に、ファスナの操作部のスライド操作を簡単に行えるようにするためには、両ファスナの操作部のスライド終端付近に共通の差し込み部を設け、互いに相寄る方向へスライドさせた各操作部を前記差し込み部に共に差し込めるようにしておくことが望ましい。
【００１１】
本発明の好適な適用例としては、家具本体が背凭れを備えたものであり、その背凭れに被覆部材を取り付けるようにしているもの、例えば背凭れ付きの椅子本体等を挙げることができる。
【００１２】
特に好ましい態様としては、家具本体が背凭れを備えた椅子本体であり、その背凭れに被覆部材を取り付けるようにしたものであって、背凭れの下縁中央部が背支持部材に支持されており、その背支持部材を避けて両側にファスナを配置するとともに、背支持部材近傍にファスナの操作部を差し込むための差し込み部を設けているものが挙げられる。
【００１３】
【実施例】
以下、本発明の一実施例を、図面を参照して説明する。
【００１４】
図１は、この実施例が適用される家具本体たる背凭れ付きの椅子本体Ｃを示している。このものは、十字に組み合わされたベース１の各端部より上方に向けて前支柱２１、後支柱２２及び側支柱２３を起立させ、それらの支柱２１、２２、２３に座３及び背凭れ４を支持させてなるものである。
【００１５】
具体的に説明すると、前支柱２１はその上端部が座３にほぼ等しい高さ位置にあり、後支柱２２及び一対の側支柱２３はそれらの上端部が通常の肘掛け位置とほぼ等しい高さ位置にあって、前支柱２１の上端部近傍と、後支柱２２及び側支柱２３の各々対応する高さ位置との間は、前記ベース１に準じて十字に組み合わされた座受部２４によって連結され、円盤状をなす座３はこの座受部２４に回転可能に支持されている。また、後支柱２２及び側支柱２３は座３から更に上方に突出し、その端部に背凭れ４を取り付けている。背凭れ４は、座３の周縁に沿ってほぼ１８０°に亘る領域に部分円弧状をなして連続しているもので、図２に一部を破砕して示すように、芯材４１の前面側にクッション材４２を貼り、これら芯材４１及びクッション材４２を表面材４３で覆った構造のものである。そして、この背凭れ４の背面を前記後支柱２２及び側支柱２３の前面に当てがい、その位置で支柱２２、２３の後方から差し込んだねじｖを背凭れ４の対応位置において芯材４１に背面からねじ止めすることによって、背凭れ４をこれらの支柱２２、２３に支持させている。すなわち、この椅子は、背凭れ４が通常人の背幅より遙かに幅広なものであり、背凭れ４の一部に凭れたときに、その側方に開放されている背凭れ４の上縁４ａを肘掛けとして利用し得るものである。
【００１６】
このような構成において、本実施例は、前記背凭れ４に、被覆部材５を着脱可能に取り付けるようにしている。この被覆部材５は、一部に開口が存在するようにして部分袋状に縫製されたもので、具体的には、図２に示すように、背凭れ４の上縁４ａを覆う位置に配置される上被覆部５ａと、背凭れ４の前面４ｂ及び背面４ｃを覆う位置に配置される前被覆部５ｂ及び後被覆部５ｃと、背凭れ４の端部４ｄを覆う位置に配置される端被覆部５ｄとを具備してなり、上被覆部５ａ、前被覆部５ｂ、後被覆部５ｃ及び端被覆部５ｄの集合部分を背凭れ４の端部上コーナー部分を抱くように部分袋状に縫製するとともに、端被覆部５ｄの下端と前被覆部５ｂ及び後被覆部５ｃの各下縁とを背凭れ４の端部下コーナー部分を抱くように部分袋状に縫製し、これよりも中央よりの前被覆部５ｂの下縁と後被覆部５ｃの下縁とを開放して、これらを本発明の開口縁５ｅとしている。そして、後被覆部５ｃの開口縁５ｅのうち、後支柱２２及び側支柱２３に対応する部分を一部切除して被覆部材５の干渉を避ける凹部５ｆを設け、これら凹部５ｆ以外の部位において、前被覆部５ｂ及び後被覆部５ｃに相互に噛み合うファスナ要素６１を設けて、後被覆部５ｃ側にそれらファスナ要素６１同士を選択的に結合、解除させる操作部６２を付帯させて、ファスナ６を構成している。このファスナ６はロック機能等を有しない通常の簡素なものである。つまり、この被覆部材５を開口縁５ｅを介して背凭れ４に被せ、開口縁５ｅを椅子本体Ｃの下向面の一つである前記背凭れ４の下縁４ｅ近傍に配した状態で、本発明の背支持部材である後支柱２２を避けて両側にファスナ６を構成するファスナ要素６１及び操作部６２を位置づけ、このファスナ６の操作部６２を図４→図５→図６のように背凭れ４の端部４ｄ側から中央部に向かって互いに相寄る方向にスライド操作することによって、背凭れ４の下縁４ｅに沿って開口縁５ｅ同士を閉止し、被覆部材５によって背凭れ４全体を包み込むことができるようにしている。
【００１７】
その際、本実施例は、ファスナ６の操作部６２をスライド終端付近で差し込むことのできる差し込み部Ｘを前記背凭れ４に設けている。
【００１８】
詳述すると、背凭れ４には、その幅方向中央に位置させて図２及び図３に示すようなベルト部材７が取り付けてある。このベルト部材７は、背凭れ４を各支柱２２、２３に取り付ける前段階で、一端７１が背凭れ４の背面４ｃであって上縁４ａに近い位置にタッカ等によって固定され、中間部７２が背凭れ４の前面４ｂ側に巻き回され、他端７３が背凭れ４の背面４ｃであって下縁４ｅに近い位置にタッカ等によって固定されているものである。そして、このベルト部材７のうち固定されていない前記中間部７２の側縁７２ａに開口する該ベルト部材７と背凭れ４との隙間を差し込み部Ｘとして、この差し込み部Ｘに図３に矢印Ａで示すように両側縁７２ａから部材の進入を許容し得るようにしている。
【００１９】
すなわち、この実施例は、背凭れ付き椅子Ｃの背凭れ４に被覆部材５を取り付けるにあたり、被覆部材５を開口縁５ｅを介して背凭れ４に被せ、その開口縁５ｅをスライド式のファスナ６によって閉止し得るように構成した上で、そのファスナ６の操作部６２を摘んで図４→図５→図６のように操作し、スライド終端付近でその操作部６２を進行方向に対して進み側に倒して背凭れ４に設けた差し込み部Ｘに差し込んでおくことができるものである。
【００２０】
このような取付構造であれば、図７に示すように、ファスナ６の操作部６２を差し込み部Ｘ内に安定に隠蔽、保持することができ、図８に示すように背凭れ４に水平方向に横たわる下縁４ｅから垂れ下がって外部から視認されることを有効に防止することができる。このため、安価で取り付け状態の良好となるスライド式のファスナ６を使用して、被覆部材５をその開口縁５ｅを背凭れ４の下縁４ｅ近傍に位置させて取り付けても、被覆部材５によって背凭れ４を着脱可能な状態で好適に隠蔽して外観を向上させることができる。また、このように操作部６２が隠蔽されることで、使用者の体が不慮に触れてファスナ６が緩んだり、子供などが悪戯で操作部６２を操作すること等も防止して取付状態に確実性を期することができる。更に、操作部６２にロック機能を有する高価なものを用いたり、被覆部材５の開口縁５ｅを重合させる必要がないので、椅子のコスト削減に有効に寄与し得るものとなる。
【００２１】
特に、この実施例では、後支柱２２と干渉しないように、被覆部材５が、開口縁５ｅをその後支柱２２を避けた位置に一対に設けたファスナ６によって閉止されるようにしているが、その後支柱２２の近傍に共通の差し込み部Ｘを設け、両ファスナ６の操作部６２を互いに相寄る方向へスライドさせて、そのスライド終端付近で各操作部６２を前記差し込み部Ｘに共に差し込めるようにしているため、左右のファスナ６の操作部６２を両手で摘んで図４→図５→図６に示すように中央まで引き寄せ、差し込み部Ｘに差し込めば作業が完了し、片手で背凭れ４や張地５の適宜位置を支えながら操作するといった不便さが伴わないばかりか、両ファスナ６の閉止操作を一挙に完了することができるため、作業性を良好にすることができるという効果が奏される。このような効果は、ファスナ６の操作部６２を開方向に操作する際にも全く同様に得られるものである。
【００２２】
特に、背凭れ４に、側縁７２ａを開放した状態でベルト部材７を取り付け、その側縁７２ａに開口するベルト部材７と背凭れ４との隙間を前記差し込み部Ｘとしているため、各ファスナ６ごとに差し込み部を構成する必要がなく、この点でも椅子のコストダウンに貢献し得るものとなる。
【００２３】
本実施例は、以上のような構成であるから、上記椅子本体Ｃ以外にも被覆部材の開口縁からファスナが垂れ下がり易い種々の背凭れ付き家具に適用して有用なものとなる。
【００２４】
なお、各部の具体的な構成は、図示実施例のものに限定されるものではなく、本発明の趣旨を逸脱しない範囲で種々変形が可能である。
【００２５】
【発明の効果】
本発明は、以上説明したような形態で実施され、以下に記載されるような効果を奏する。
【００２６】
すなわち、本発明に係る被覆部材の取付構造は、被覆部材を家具本体の所要箇所に被せ、スライド式のファスナによってその開口縁を閉止するに際して、ファスナの操作部をスライド終端付近で差し込むことのできる差し込み部を家具本体側に設けるようにしたものである。このため、安価で取り付け状態の良好なスライドファスナの特性を損なうことなく、操作部を好適に隠蔽して家具本体の外観の棄損を防ぎ、また不慮に外れることを防止して管理の便を向上させることが可能となる。
【００２７】
特に、このような効果は、被覆部材が、開口縁を家具本体の下向面近傍に位置させて取り付けられる背凭れ付き椅子などにおいて顕著なものとなる。
【００２８】
被覆部材が、中央にファスナと干渉する部材が存在するため開口縁をその部材を避けて一対のファスナによって分割して閉止しなければならないといった事情がある場合に、両ファスナの操作部のスライド終端付近である前記部材付近に共通の差し込み部を設け、互いに相寄る方向へスライドさせた各操作部を前記差し込み部に共に差し込めるようにしておけば、操作部の部品点数が僅かに増えることは否めないものの、ファスナの開閉操作が簡単となり、作業効率を有効に向上させることができる。
【００２９】
家具本体に、側縁を開放した状態でベルト部材を取り付け、その側縁に開口するベルト部材と家具本体との隙間を前記差し込み部としておけば、特に上記のような分割構造において差し込み部を共用することによるコストダウン等を図ることができる。
【００３０】
本発明は、以上のような構成であるから、家具本体が背凭れを備えたものであり、その背凭れに被覆部材を取り付けるようにしているもの、例えば背凭れ付きの椅子本体等に適用して極めて有用な効果を奏するものとなる。
【図面の簡単な説明】
【図１】本発明の一実施例を適用した椅子の一部破砕した斜視図。
【図２】図１の背凭れに被覆部材を取り付ける前の状態を示す一部破砕した要部拡大斜視図。
【図３】図２の背凭れを正面側から見た斜視図。
【図４】背凭れに被覆部材を被せる際の手順を示す一部破砕した要部拡大斜視図。
【図５】図４に対応した斜視図。
【図６】図４及び図５に対応した斜視図。
【図７】背凭れに被覆部材を被せた状態を示す模式的な正面図。
【図８】従来の不具合に対応した状態を示す図７に相当する正面図。
【符号の説明】
Ｃ…家具本体（背凭れ付き椅子）
Ｘ…差し込み部
４…背凭れ
４ｅ…下向面（下縁）
５…被覆部材
５ｅ…開口縁
６…ファスナ
７…ベルト部材
２２…背支持部材（後支柱）
６２…操作部
【図１】
0003760711.tif 000002
【図２】
0003760711.tif 000003
【図３】
0003760711.tif 000004
【図４】
0003760711.tif 000005
【図５】
0003760711.tif 000006
【図６】
0003760711.tif 000007
【図７】
0003760711.tif 000008
【図８】
0003760711.tif 000009